(57)【要約】【課題】おむつ本体のウエスト部分が大きくずれ下がったような場合でも、吸収性本体の密着状態を維持して、横漏れが発生しにくいようにする。【解決手段】吸収性本体３に吸収性コア１３がほぼ全面的に接合され、この吸収性本体３がおむつ本体２の股部Ｒにほぼ全面的に接合されるとともに、吸収性本体３の吸収性コア１３の下部に、吸収性コア１３の全幅に亘って所定の間隔で、股間用弾性部材１７がおむつ前後方向Ｘに伸張状態で添設されている。【選択図】  図３
2004350809.tif 000002
【特許請求の範囲】
【請求項１】
前腹部と後背部との間の股部の両側に脚穴部が形成されたおむつ本体と、上記股部に取付けられる吸収性本体とを備えて、上記前腹部と後背部とには、ウエスト用弾性部材とボディフィット用弾性部材とがおむつ幅方向に伸張状態で添設され、上記脚穴部には、脚穴に沿って脚穴用弾性部材が伸張状態で添設されたパンツ型使い捨ておむつにおいて、
上記吸収性本体に吸収性コアがほぼ全面的に接合され、この吸収性本体が上記股部にほぼ全面的に接合されるとともに、上記吸収性本体の吸収性コアの下部に、吸収性コアの全幅に亘って所定の間隔で、股間用弾性部材がおむつ前後方向に伸張状態で添設されていることを特徴とするパンツ型使い捨ておむつ。
【請求項２】
上記股部における脚穴用弾性部材の収縮力を小さくするために切断した切断端部が上記吸収性本体の両側縁部に掛かるように臨まされている請求項１記載のパンツ型使い捨ておむつ。
【請求項３】
上記吸収性本体は、上記おむつ本体のボディフィット用弾性部材と重なるようおむつ前後方向に延在されて、上記股間用弾性部材は、ボディフィット用弾性部材の少なくとも一部と交差されている請求項１または２記載のパンツ型使い捨ておむつ。
【請求項４】
上記吸収性本体の両側部に、立ち上がりフラップが設けられている請求項１〜３のいずれか１項に記載のパンツ型使い捨ておむつ。
【発明の詳細な説明】
【０００１】
【発明の属する技術分野】
本発明は、パンツ型使い捨ておむつに関する。
【０００２】
【従来の技術】
従来、前腹部と後背部との間の股部の両側に脚穴部が形成されたおむつ本体（パンツ）と、上記股部に取付けられる吸収性本体（パッド）とを備えて、上記前腹部と後背部とには、ウエスト用弾性部材がおむつ幅方向に伸張状態で添設され、上記脚穴部には、脚穴に沿って脚穴用弾性部材が伸張状態で添設されたパンツ型使い捨ておむつがある（例えば、特許文献１参照）。
【０００３】
特許文献１は、吸収性本体の裏面に、股間用弾性部材（第２伸縮性弾性部材）をおむつ前後方向に伸張状態で添設して、吸収性本体の前後端部の間の部位を、股間用弾性部材の収縮力でおむつ本体の内面から上方に持ち上げることで、吸収性本体を着用者の肌に密着させて、おむつ本体がずれ下がったとしても、吸収性本体の密着状態を維持できるというものである。
【０００４】
【特許文献１】
特開２００３−６２００９号公報
【０００５】
【発明が解決しようとする課題】
しかしながら、特許文献１では、おむつ本体のウエスト部分が大きくずれ下がったような場合には、おむつ本体と一緒に吸収性本体もずれ下がってしまうから、吸収性本体の密着状態を維持できなくなって、横漏れが発生するという問題があった。
【０００６】
本発明は、上記問題を解消するためになされたもので、おむつ本体のウエスト部分が大きくずれ下がったような場合でも、吸収性本体の密着状態を維持して、横漏れが発生しにくいパンツ型使い捨ておむつを提供することを課題とするものである。
【０００７】
【課題を解決するための手段】
上記課題を解決するために、本発明は、前腹部と後背部との間の股部の両側に脚穴部が形成されたおむつ本体と、上記股部に取付けられる吸収性本体とを備えて、上記前腹部と後背部とには、ウエスト用弾性部材とボディフィット用弾性部材とがおむつ幅方向に伸張状態で添設され、上記脚穴部には、脚穴に沿って脚穴用弾性部材が伸張状態で添設されたパンツ型使い捨ておむつにおいて、
上記吸収性本体に吸収性コアがほぼ全面的に接合され、この吸収性本体が上記股部にほぼ全面的に接合されるとともに、上記吸収性本体の吸収性コアの下部に、吸収性コアの全幅に亘って所定の間隔で、股間用弾性部材がおむつ前後方向に伸張状態で添設されていることを特徴とするパンツ型使い捨ておむつを提供するものである。
【０００８】
請求項２のように、上記股部における脚穴用弾性部材の収縮力を小さくするために切断した切断端部が上記吸収性本体の両側縁部に掛かるように臨まされている構成とすることが好ましい。
【０００９】
請求項３のように、上記吸収性本体は、上記おむつ本体のボディフィット用弾性部材と重なるようおむつ前後方向に延在されて、上記股間用弾性部材は、ボディフィット用弾性部材の少なくとも一部と交差されている構成とすることが好ましい。
【００１０】
請求項４のように、上記吸収性本体の両側部に、立ち上がりフラップが設けられている構成とすることが好ましい。
【００１１】
【発明の作用および効果】
本発明によれば、吸収性本体に吸収性コアをほぼ全面的に接合し、この吸収性本体をおむつ本体の股部にほぼ全面的に接合し、さらに吸収性本体の吸収性コアの下部に股間用弾性部材を添設したうえで、股部における脚穴用弾性部材の切断端部を吸収性本体の側縁部に掛かるように臨ませたから、股間用弾性部材の収縮力によって、吸収性本体全体とおむつ本体の股部全体とが上方に持ち上がるので、吸収性本体が着用者の股部に密着して、横漏れが発生しにくくなる。
【００１２】
請求項２によれば、脚穴用弾性部材の切断端部を吸収性本体の両側縁部に掛かるように臨ませているから、おむつ本体のウエスト部分が大きくずれ下がったような場合でも、脚穴用弾性部材の収縮力によって、着用者に対する吸収性本体の股部分とおむつ本体の股部との密着状態が維持されるので、横漏れが発生しにくくなる。
【００１３】
請求項３によれば、吸収性本体の股間用弾性部材をおむつ本体のボディフィット用弾性部材の少なくとも一部と交差させているから、ボディフィット用弾性部材でサポートされて股間用弾性部材の収縮力が強くなるので、吸収性本体が着用者の股部により強く密着するようになる。
【００１４】
請求項４によれば、吸収性本体の立ち上がりフラップによって、横漏れの発生をより有効に防止できるようになる。
【００１５】
【発明の実施の形態】
以下、本発明の実施の形態を図面を参照して詳細に説明する。
【００１６】
図１および図２に示すように、パンツ型使い捨ておむつ１Ａは、おむつ本体２と吸収性本体３とで基本構成されている。
【００１７】
上記おむつ本体２は、図３および図５（ａ）に示すように、前腹部Ｐと後背部Ｑとの間の股部Ｒの両側に脚穴部Ｓを形成した内装（肌面側）シート４と外装（外面側）シート５とを備え、内装シート４と外装シート５との間の前腹部Ｐと後背部Ｑとのウエスト部分には、おむつ前後方向Ｘに狭い間隔で、複数本のウエスト用弾性部材６がおむつ幅方向Ｗに伸張状態で添設されているとともに、ボディ部分には、おむつ前後方向Ｘに広い間隔で、複数本のボディフィット用弾性部材７がおむつ幅方向Ｗに伸張状態で添設されている。
【００１８】
また、内装シート４と外装シート５との間の脚穴部Ｓには、脚穴に沿って複数本の脚穴用弾性部材８が伸張状態で添設されている。
【００１９】
そして、各弾性部材６〜８を間に挟んだ状態で、内装シート４と外装シート５とがホットメルト接着剤等で接着されている。
【００２０】
上記おむつ本体２がおむつ幅方向Ｗに横流れ状態で製造される場合には、前腹部Ｐ側の脚穴用弾性部材８（Ａ）は、連続状態で、前側の脚穴部Ｓに沿って湾曲状に添設され、股部Ｒで真っ直ぐに添設され、後側の脚穴部Ｓに沿って湾曲状に添設されるとともに、後背部Ｑ側の脚穴用弾性部材８（Ｂ）は、連続状態で、前側の脚穴部Ｓに沿って湾曲状に添設され、股部Ｒで真っ直ぐに添設され、後側の脚穴部Ｓに沿って湾曲状に添設されるようになる。なお、脚穴用弾性部材８（Ａ，Ｂ）は、股部Ｒで交差するように添設されていても良い。
【００２１】
そして、この添設の後、股部Ｒの中央部分においておむつ幅方向に所定の幅Ｗ１だけカットすることによって伸縮力を小さくしている。
【００２２】
上記内装シート４と外装シート５との接着体は、股部Ｒを境にして前腹部Ｐと後背部Ｑとを重ね合わせて、サイド部１ａを熱接合することにより、おむつ本体２として組み立てられるようになる。
【００２３】
上記内装シート４は、撥水性不織布材料（スパンボンド不織布、メルトブロー不織布、ＳＭＳ不織布等）が用いられる。好ましくは、目付１０〜２５ｇ／ｍ２の撥水性不織布材料である。また、内面のみを親水化〔界面活性剤を塗布する、あるいは親水性繊維（レーヨン、コットン等）の層を作る。〕しても良く、この場合には、肌に当接した場合の感触が良くなり、吸汗効果も期待できる。
【００２４】
上記外装シート５は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００２５】
上記吸収性本体３は、図２および図４（ａ）に示すように、トップシート１０とバックシート１１との間に、被覆シート１２で包んだ砂時計型の吸収性コア１３を挟み込んで形成されて、おむつ前後方向Ｘに延在するようになる。
【００２６】
上記吸収性本体３のトップシート１０の内面（上面）の両側部には、おむつ前後方向Ｘに延在する立ち上がりフラップ１５の基端部１５ａがそれぞれ接着されて上方に立ち上げられ、その上端が内向きに折り返され、この折り返し内にフラップ用弾性部材１６がおむつ前後方向Ｘに伸張状態で添設されることにより、立ち上がりフラップ１５が立ち上がるようになる。この立ち上がりフラップ１５の前後端部の内面はトップシート１０に倒伏状態で接着されている。
【００２７】
上記吸収性本体３の被覆シート１２と吸収性コア１１との間には、吸収性コア１１に対して、おむつ幅方向Ｗの全幅に亘って所定の間隔で、複数本の股間用弾性部材１７が前後方向Ｘに伸張状態で添設されている。
【００２８】
この股間用弾性部材１７は、図４（ｂ）のように、被覆シート１２とバックシート１１との間に添設しても良く、図４（ｃ）のように、上記内装シート４に接着する股下押えシート１８とバックシート１１との間に添設しても良く、図４（ｄ）のように、上記内装シート４に接着する下側の股下押えシート１８Ａとバックシート１１に接着する上側の股下押えシート１８Ｂとの間に添設しても良い。
【００２９】
上記吸収性本体３は、上記おむつ本体２のボディフィット用弾性部材７に掛からない前後方向Ｘの長さに設定されている。
【００３０】
上記吸収性本体３の吸収性コア１３は、トップシート１０とバックシート１１とに、ほぼ全面的にホットメルト接着剤等で接着されるとともに、このバックシート１１は、上記おむつ本体２の股部Ｒの内装シート４に、ほぼ全面的にホットメルト接着剤等で接着されるようになる。
【００３１】
ここで、「ほぼ全面的に接着する」とは、いわゆるべた塗りの意味だけではなく、コーター塗工、ビード塗工、スパイラルスプレー塗工、カーテンスプレー塗工などで、筋状などであってもほぼ全面に隙間を少なくして塗ることも意味するものである。
【００３２】
上記おむつ本体２の脚穴用弾性部材８（Ａ，Ｂ）は、上述したように、おむつ幅方向に所定の幅Ｗ１だけカットされていて、その切断端部８ａは、上記吸収性本体３の両側縁部３ａに掛かるように臨まされている。なお、上記股間用弾性部材１７には掛からないようにしている。
【００３３】
上記吸収性コア１３は、粉砕したパルプ繊維やセルロース繊維等の親水性繊維集合層に粒状の高分子吸水体を混合したものを、ティッシュペーパーなどの紙シートあるいは透液性不織布シート等の被覆シート１２で包んで、所定形状（長方形、砂時計型、ひょうたん型等）に成形したものである。上記繊維や高分子吸水体をシート状に成形したシート状体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００３４】
上記トップシート１０は、透液性不織布材料が好ましい。例えば、親水性繊維（セルロース、レーヨン、コットン等）を用いた不織布材料、あるいは疎水性繊維（ポリプロピレン、ポリエステル、ポリアミド、ナイロン等）の表面を界面活性剤により処理し、透液性とした不織布材料が用いられる。好ましくは、目付１０〜２５ｇ／ｍ２の疎水性繊維の裏面を界面活性剤により処理し透液性とした透液性の不織布材料（ポイントボンド不織布、エアースルー不織布）である。
【００３５】
上記バックシート１１は、撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜４０ｇ／ｍ２の通気性ポリエチレンフィルムである。
【００３６】
上記立ち上がりフラップ１５は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００３７】
上記被覆シート１２は、ティッシュペーパーなどの紙シートあるいは透液性不織布シート等が用いられる。
【００３８】
上記股下押えシート１８（Ａ，Ｂ）は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００３９】
上記各弾性部材６〜８，１６，１７は、通常使い捨ておむつに用いられる弾性伸縮材料（ポリウレタン糸、ポリウレタンフィルム、天然ゴム等）が用いられ、各シート材料の間に伸張状態で、ホットメルト接着剤、熱接着、超音波接着など好適な添設手段でもって添設される。好ましくはゴム系のホットメルト接着剤である。
【００４０】
上記ウエスト用弾性部材６は、繊度７００〜２０００デシテックスのポリウレタン糸を、倍率２．０〜４．０倍に伸張して添設するのが好ましい。
【００４１】
上記ボディフィット用弾性部材７は、繊度３００〜７００デシテックスのポリウレタン糸を、倍率１．１〜２．０倍に伸張して添設するのが好ましい。
【００４２】
上記脚穴用弾性部材８は、繊度７００〜２０００デシテックスのポリウレタン糸を、倍率１．１〜３．０倍に伸張して添設するのが好ましい。
【００４３】
上記フラップ用弾性部材１６は、繊度３００〜２０００デシテックスのポリウレタン糸を、倍率１．１〜４．０倍に伸張して添設するのが好ましい。
【００４４】
上記股間用弾性部材１７は、繊度３００〜２０００デシテックスのポリウレタン糸を、倍率１．１〜４．０倍に伸張して添設するのが好ましい。
【００４５】
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、上記サイド部１ａについては、熱接合が好ましい。
【００４６】
上記のように構成したパンツ型使い捨ておむつ１Ａでは、吸収性本体３に吸収性コア１３をほぼ全面的に接着し、この吸収性本体３をおむつ本体２の股部Ｒにほぼ全面的に接着し、さらに吸収性本体３の吸収性コア１３の下部に股間用弾性部材１７を添設したうえで、股部Ｒにおける脚穴用弾性部材８の切断端部８ａを吸収性本体３の両側縁部３ａに掛かるように臨ませたものである。
【００４７】
したがって、吸収性コア１３の全幅Ｗ１に亘る股間用弾性部材８の収縮力によって、吸収性本体３の全体とおむつ本体２の股部Ｒの全体とが上方に持ち上がるので、吸収性本体３が着用者の股部に密着して、横漏れが発生しにくくなる。
【００４８】
また、脚穴用弾性部材８の切断端部８ａを吸収性本体３の両側縁部３ａに掛かるように臨ませているから、おむつ本体２のウエスト部分が大きくずれ下がったような場合でも、脚穴用弾性部材８の収縮力によって、着用者に対する吸収性本体３の股部分とおむつ本体２の股部との密着状態が維持されるので、横漏れが発生しにくくなる。
【００４９】
さらに、吸収性本体３の立ち上がりフラップ１５によって、横漏れの発生をより有効に防止できるようになる。
【００５０】
図６および図５（ｂ）は、変形例のパンツ型使い捨ておむつ１Ｂであり、上記パンツ型使い捨ておむつ１Ａでは、吸収性本体３は、おむつ本体２のボディフィット用弾性部材７に掛からない前後方向Ｘの長さに設定されているが、変形例のパンツ型使い捨ておむつ１Ｂでは、吸収性本体３は、おむつ本体２のボディフィット用弾性部材７と重なるようおむつ前後方向Ｘに延在されて、股間用弾性部材１７がボディフィット用弾性部材７の少なくとも一部と交差するようにしている点で相違する。
【００５１】
このように、吸収性本体３の股間用弾性部材１７をおむつ本体２のボディフィット用弾性部材７の少なくとも一部と交差させると、ボディフィット用弾性部材７でサポートされて股間用弾性部材１７の収縮力が強くなるので、吸収性本体３が着用者の股部により強く密着するようになる。
【図面の簡単な説明】
【図１】パンツ型使い捨ておむつの正面図である。
【図２】吸収性本体の平面図である。
【図３】パンツ型使い捨ておむつの展開状態の平面図である。
【図４】（ａ）〜（ｄ）は、それぞれ股間用弾性部材の添設例を示す図３のＡ−Ａ線拡大断面図である。
【図５】（ａ）は、図３のＢ−Ｂ線断面図、（ｂ）は図６（ｂ）のＣ−Ｃ線断面図である。
【図６】変形例のパンツ型使い捨ておむつであり、（ａ）は正面図、（ｂ）は展開状態の平面図である。
【符号の説明】
１Ａ，１Ｂ  パンツ型使い捨ておむつ
２    おむつ本体
３    吸収性本体
３ａ  両側縁部
６    ウエスト用弾性部材
７    ボディフィット用弾性部材
８    脚穴用弾性部材
８ａ  切断端部
１３  吸収性コア
１５  立ち上がりフラップ
１７  股間用弾性部材
Ｐ    前腹部
Ｑ    後背部
Ｒ    股部
Ｓ    脚穴部
Ｘ    おむつ前後方向
Ｗ１  幅
【図１】
2004350809.tif 000003
【図２】
2004350809.tif 000004
【図３】
2004350809.tif 000005
【図４】
2004350809.tif 000006
【図５】
2004350809.tif 000007
【図６】
2004350809.tif 000008